Podtech/llm-jp-corpus-v4-ja_patent huggingface dataset:
【手続補正書】
【提出日】平成16年11月30日(2004.11.30)
【手続補正１】
【補正対象書類名】特許請求の範囲
【補正対象項目名】全文
【補正方法】変更
【補正の内容】
【特許請求の範囲】
【請求項１】
治療上有効な量の、式（Ｉ）および式（ＩＩ）：
【化１】
2004527492.tif 000001
［式中、
フェニルは、フッ素、塩素、臭素およびヨウ素よりなる群から選択される１ないし５個のハロゲン原子でＸにおいて置換されており；そして
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される化合物を含んで成る、
運動障害の予防もしくは治療のための医薬組成物。
【請求項２】
Ｘが塩素である、請求項１の組成物。
【請求項３】
Ｘがフェニル環のオルト位で置換される、請求項１の組成物。
【請求項４】
Ｒ1、Ｒ2、Ｒ3、Ｒ4、Ｒ5およびＲ6が水素から選択される、請求項１の組成物。
【請求項５】
治療上有効な量の式（Ｉ）および式（ＩＩ）よりなる群から選択される１種の鏡像異性体、または式（Ｉ）および式（ＩＩ）よりなる群から選択される一方の鏡像異性体が優勢を占める鏡像異性体の混合物：
【化２】
2004527492.tif 000002
［式中、
フェニルは、フッ素、塩素、臭素およびヨウ素よりなる群から選択される１ないし５個のハロゲン原子でＸにおいて置換されており；そして
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
を含んで成る、運動障害の予防もしくは治療のための医薬組成物。
【請求項６】
Ｘが塩素である、請求項５の組成物。
【請求項７】
Ｘがフェニル環のオルト位で置換される、請求項５の組成物。
【請求項８】
Ｒ1、Ｒ2、Ｒ3、Ｒ4、Ｒ5およびＲ6が水素から選択される、請求項５の組成物。
【請求項９】
式（Ｉ）および式（ＩＩ）よりなる群から選択される一方の鏡像異性体が約９０％もしくはそれ以上の程度まで優勢を占める、請求項５の組成物。
【請求項１０】
式（Ｉ）および式（ＩＩ）よりなる群から選択される一方の鏡像異性体が約９８％もしくはそれ以上の程度まで優勢を占める、請求項５の組成物。
【請求項１１】
式（Ｉ）および式（ＩＩ）よりなる群から選択される鏡像異性体が、式（Ｉａ）および式（ＩＩａ）：
【化３】
2004527492.tif 000003
［式中、
フェニルは、フッ素、塩素、臭素およびヨウ素よりなる群から選択される１ないし５個のハロゲン原子でＸにおいて置換されており；そして
Ｒ1、Ｒ2、Ｒ3、Ｒ4、Ｒ5およびＲ6は、水素およびＣ1−Ｃ4アルキルよりなる群から独立に選択され；ここでＣ1−Ｃ4アルキルはフェニル（ここで、フェニルは、ハロゲン、Ｃ1−Ｃ4アルキル、Ｃ1−Ｃ4アルコキシ、アミノ、ニトロおよびシアノよりなる群から独立に選択される置換基で場合によっては置換される）で場合によっては置換される］
よりなる群から選択される１種の鏡像異性体である、請求項５の組成物。
【請求項１２】
Ｘが塩素である、請求項１１の組成物。
【請求項１３】
Ｘがフェニル環のオルト位で置換される、請求項１１の組成物。
【請求項１４】
Ｒ1、Ｒ2、Ｒ3、Ｒ4、Ｒ5およびＲ6が水素から選択される、請求項１１の組成物。
【請求項１５】
式（Ｉａ）および式（ＩＩａ）よりなる群から選択される一方の鏡像異性体が約９０％もしくはそれ以上の程度まで優勢を占める、請求項１１の組成物。
【請求項１６】
式（Ｉａ）および式（ＩＩａ）よりなる群から選択される一方の鏡像異性体が約９８％もしくはそれ以上の程度まで優勢を占める、請求項１１の組成物。
【請求項１７】
式（Ｉ）および式（ＩＩ）よりなる群から選択される鏡像異性体が、式（Ｉｂ）および式（ＩＩｂ）：
【化４】
2004527492.tif 000004
よりなる群から選択される１種の鏡像異性体である、請求項５の組成物。
【請求項１８】
式（Ｉｂ）および式（ＩＩｂ）よりなる群から選択される一方の鏡像異性体が約９０％もしくはそれ以上の程度まで優勢を占める、請求項１７の組成物。
【請求項１９】
式（Ｉｂ）および式（ＩＩｂ）よりなる群から選択される一方の鏡像異性体が約９８％もしくはそれ以上の程度まで優勢を占める、請求項１７の組成物。
【請求項２０】
運動障害が、良性本態性振顫、パーキンソン病における振顫、パーキンソン症候群振顫、他の非関連本態性振顫、他の非関連パーキンソン症候群振顫、薬物誘導の振顫および運動障害、無静止脚症候群、無静止腕症候群、ハンチントン病における舞踏病、多発性硬化症に伴う振顫もしくはジル・ド・ラ・ツレット（Ｇｉｌｌｅｓ  ｄｅ  Ｌａ  Ｔｏｕｒｅｔｔｅ）症候群、脊髄傷害後の痙攣、無酸素後の痙攣、自然発生性捻転失調、病巣性捻転失調、間代性筋痙攣症、無定位運動症、発作性運動障害（発作性失調症、発作性運動失調もしくは発作性振顫から選択される）または異常運動（ウィルソン病から選択される）から選択される、請求項１もしくは５記載の組成物。
【請求項２１】
運動障害が、良性本態性振顫、パーキンソン病における振顫、パーキンソン症候群振顫、他の非関連本態性振顫、他の非関連パーキンソン症候群振顫、薬物誘導の振顫および運動障害、無静止脚症候群、ハンチントン病における舞踏病、多発性硬化症に伴う振顫もしくはジル・ド・ラ・ツレット（Ｇｉｌｌｅｓ  ｄｅ  Ｌａ  Ｔｏｕｒｅｔｔｅ）症候群または脊髄傷害後の痙攣から選択される、請求項２０の組成物。
【請求項２２】
他の非関連本態性もしくはパーキンソン症候群振顫が、中枢性振顫もしくは非伝統性振顫（ここで、中枢性および非伝統性振顫は、頭部／四肢静止振顫、単純運動振顫、企図振顫、直立性振顫、増進した生理機能性振顫、精神作用性振顫、小脳性振顫、ルブラル（ｒｕｂｒａｌ）振顫または姿勢、位置、音声もしくは仕事に関連する振顫から選択される）から選択され；そして、薬物誘導の振顫および運動障害が、姿勢振顫、急性失調症、舞踏病、静座不能、晩発性運動異常症もしくはパーキンソン様症候群から選択される、請求項２１の組成物。
【請求項２３】
治療上有効な量が約０．０１ｍｇ／ｋｇ／用量ないし約１００ｍｇ／ｋｇ／用量である、請求項１もしくは５記載の組成物。
【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
式ＩａまたはＩｂ
【化１】
2004527497.tif 000001
式中、
Ｒ１、Ｒ２およびＲ３は、独立して、水素またはＣ１〜Ｃ６アルキル基であり、
式ＩａにおけるＲ１およびＲ２またはＲ２およびＲ３は、互いに独立して、環を形成することができ、
Ｒ４は、水素、直鎖状または分枝状Ｃ１〜Ｃ４アルキル基であり、
ｎは、７〜１４の整数である、
で表される大環状ケトンを製造するための熱異性化方法であって、
（ａ）１００〜３００℃において、式ＩＩａで表される大環状第三アリルアルコールまたは式ＩＩｂ
【化２】
2004527497.tif 000002
式中、
Ｒ１、Ｒ２、Ｒ３、Ｒ４およびｎは、前記と同一の意味を有し、
Ｒ５は、水素またはトリアルキルシリル基またはアルカリ金属陽イオンのいずれかである、
で表されるプロパルギルアルコールを、ガス相に変換する工程、および、
（ｂ）式ＩＩａで表される大環状第三アリルアルコールまたは式ＩＩｂで表されるプロパルギルアルコールを加熱し、ガス相に変換されたものを、５００〜７００℃の温度とする工程、および
（ｃ）Ｒ５がトリアルキルシリル基である場合には、（ｂ）において生成したトリアルキルシリルエーテルの、式ＩａまたはＩｂで表される対応するケトンへの加水分解工程
を含む、前記方法。
【請求項２】
３−メチルシクロヘプタデカノン、５−メチルシクロヘプタデカノン、４−エチルシクロテトラデカノンおよび３，４−ジメチルシクロテトラデカノンからなる群から選択された、式Ｉａで表される大環状ケトン。
【請求項３】
式ＩＩａで表される大環状第三ビニルアルコールまたは式ＩＩｂ
【化３】
2004527497.tif 000003
式中、
Ｒ１、Ｒ２およびＲ３は、独立して、水素またはＣ１〜Ｃ６アルキル基であり、
式ＩａにおけるＲ１およびＲ２またはＲ２およびＲ３は、互いに独立して、環を形成することができ、
Ｒ４は、水素、直鎖状または分枝状Ｃ１〜Ｃ４アルキル基であり、
ｎは、７〜１４の整数であり、
Ｒ５は、水素、トリアルキルシリル基またはアルカリ金属陽イオンである、
で表されるプロパルギルアルコールの製造方法であって、
（ａ）大環状ケトンを、無水ルイス酸で、０〜４０℃の温度において前複合体形成する工程、および
（ｂ）その後有機金属アルキレン化合物を、前複合体形成した前記大環状ケトン上に、グリニヤール条件下で加える工程
を含む、前記方法。
【請求項４】
１−ビニル−１−シクロウンデカノール、１−ビニル−１−シクロトリデカノール、１−ビニル−１−シクロテトラデカノール、１−ビニル−１−シクロペンタデカノール、（シン／アンチ）−２−メチル−１−ビニル−１−シクロドデカノール、（シン／アンチ）−２−エチル−１−ビニル−１−シクロドデカノール、（シン／アンチ）−３−メチル−１−ビニル−１−シクロペンタデカノール、（Ｅ／Ｚ）−１−（１−プロペン−１−イル）シクロドデカノール、（Ｅ／Ｚ）−１−（１−プロペニル）シクロトリデカノール、（Ｅ／Ｚ）−１−（１−プロペニル）シクロテトラデカノール、（Ｅ／Ｚ）−１−（１−プロペン−１−イル）シクロペンタデカノール、１−（１−メチルエテニル）シクロウンデカノール、１−（２−メチル−１−プロペニル）シクロドデカノール、（Ｅ／Ｚ）−１−（２−ブテン−２−イル）シクロドデカノール、（Ｅ／Ｚ）−１−（トリメチルシリルオキシ）−１−（１−プロペニル）シクロドデカノールおよび（Ｅ／Ｚ）−２−メチル−１−（１−プロペン−１−イル）シクロドデカノールからなるリストから選択された、式ＩＩａで表される大環状第三アリルアルコール。
【請求項５】
１−エチニルシクロトリデカノールおよび１−（１−プロピニル）シクロドデカノールからなるリストから選択された、式ＩＩｂで表される大環状第三プロパルギルアルコール。
【手続補正２】
【補正対象書類名】明細書
【補正対象項目名】００２２
【補正方法】変更
【補正の内容】
【００２２】
本発明の方法を用いて、以下の新規な化合物を製造した：
２−メチルシクロテトラデカノン、３−メチルシクロヘプタデカノン、５−メチルシクロヘプタデカノン、４−エチルシクロテトラデカノン、３，４−ジメチルシクロテトラデカノン。
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
ほぼ透明なガラスセラミックであって、該ガラスセラミックの組成がＳｉＯ２−Ｇａ２Ｏ３−Ａｌ２Ｏ３−Ｋ２Ｏ−Ｎａ２Ｏ系内にあり、かつアルミノガリウム酸塩スピネル結晶相を含み、前記組成が、酸化物基準の重量％で、２５〜５５％のＳｉＯ２と、９〜５０％のＧａ２Ｏ３と、７〜３３％のＡｌ２Ｏ３と、０〜２０％のＫ２Ｏと、０〜１５％のＮａ２Ｏと、０〜６％のＬｉ２Ｏとからなり、Ｋ２Ｏ＋Ｎａ２Ｏが５〜３０％であり、該ガラスセラミックが、少なくとも５重量％のアルミノガリウム酸塩スピネル結晶を備えた結晶相を含むことを特徴とするガラスセラミック。
【請求項２】
前記組成が、酸化物基準の重量％で、３５〜４５％のＳｉＯ２と、２０〜３０％の
Ｇａ２Ｏ３と、１５〜２５％のＡｌ２Ｏ３と、１０〜２０％のＫ２Ｏと、０〜１０％のＮａ２Ｏと、０〜６％のＬｉ２Ｏと、０．００１〜０．５％のＮｉＯ＋ＣｏＯ＋Ｃｒ２Ｏ３とからなり、Ｋ２Ｏ＋Ｎａ２Ｏが１０〜２０％であることを特徴とする請求項１記載のガラスセラミック。
【請求項３】
前記組成が、酸化物基準の重量％で、１重量％までの酸化ニッケルまたは酸化クロムまたは酸化コバルトをさらに含むことを特徴とする請求項１記載のガラスセラミック。
【請求項４】
前記結晶相が、約５から２５重量％までの間のアルミノガリウム酸塩スピネル結晶を含み、前記結晶がナノ結晶であり、約１０から２０ｎｍの間のサイズを呈することを特徴とする請求項１記載のガラスセラミック。
【請求項５】
光ファイバ、利得媒体またはレーザー媒体、増幅器部品、可飽和吸収体からなる群から選ばれた光学要素であって、該光学要素が少なくとも約５重量％のアルミノガリウム酸塩スピネル結晶からなる結晶性を有する透明なガラスセラミックを含み、該ガラスセラミックが、酸化物基準の重量％で、２５〜５５％のＳｉＯ２と、９〜５０％のＧａ２Ｏ３と、２〜３５％のＡｌ２Ｏ３と、０〜２０％のＫ２Ｏと、０〜１５％のＮａ２Ｏと、０〜６％のＬｉ２Ｏとからなり、Ｋ２Ｏ＋Ｎａ２Ｏが５〜３０％である組成を有することを特徴とする光学要素。
【請求項６】
前記組成が、酸化物基準の重量％で、３５〜４５％のＳｉＯ２と、２０〜３０％の
Ｇａ２Ｏ３と、１５〜２５％のＡｌ２Ｏ３と、１０〜２０％のＫ２Ｏと、０〜１０％のＮａ２Ｏと、０〜６％のＬｉ２Ｏと、０．００１〜０．５％のＮｉＯ＋ＣｏＯ＋Ｃｒ２Ｏ３とからなり、Ｋ２Ｏ＋Ｎａ２Ｏが１０〜２０％であることを特徴とする請求項５記載の光学要素。
【請求項７】
前記組成が、酸化物基準の重量％で、１重量％までの酸化ニッケルまたは酸化クロムまたは酸化コバルトをさらに含むことを特徴とする請求項５記載の光学要素。
【請求項８】
前記結晶相が、約５から２５重量％までの間のアルミノガリウム酸塩スピネル結晶を含み、前記結晶がナノ結晶であり、約１０から２０ｎｍの間のサイズを呈することを特徴とする請求項５記載の光学要素。
【請求項９】
ほぼ透明なガラスセラミックの製造方法であって、該ガラスセラミックの組成が、ＳｉＯ２−Ｇａ２Ｏ３−Ａｌ２Ｏ３−Ｋ２Ｏ−Ｎａ２Ｏ系内にあり、かつアルミノガリウム酸塩スピネル結晶相を含み、前記製造方法が、
イ）酸化物基準の重量％で、２５〜５５％のＳｉＯ２と、９〜５０％のＧａ２Ｏ３と、２〜３５％のＡｌ２Ｏ３と、０〜２０％のＫ２Ｏと、０〜１５％のＮａ２Ｏと、０〜６％のＬｉ２Ｏとからなり、Ｋ２Ｏ＋Ｎａ２Ｏが５〜３０％である組成を有するガラスのためのバッチを溶融し、
ロ）前記ガラスを、該ガラスの変態範囲よりも少なくとも低い温度に冷却し、
ハ）前記ガラスを、ほぼ透明でかつアルミノガリウム酸塩スピネル結晶相を多く含む、ＳｉＯ２−Ｇａ２Ｏ３−Ａｌ２Ｏ３−Ｋ２Ｏ−Ｎａ２Ｏ系内にある組成を有するガラスセラミックを生成させるのに十分な時間約５５０℃から９５０℃までの間の温度に曝し、
ニ）前記ガラスセラミックを室温まで冷却する、
各工程を含むことを特徴とするガラスセラミックの製造方法。
【請求項１０】
前記ガラスが先ず約６５０〜７５０℃の温度に約１〜８時間曝され、次いで約８００〜９５０℃の温度に約２〜４時間曝されることを特徴とする請求項９記載の方法。
【請求項１１】
前記組成が、酸化物基準の重量％で、３５〜４５％のＳｉＯ２と、２０〜３０％の
Ｇａ２Ｏ３と、１５〜２５％のＡｌ２Ｏ３と、１０〜２０％のＫ２Ｏと、０〜１０％のＮａ２Ｏと、０〜６％のＬｉ２Ｏと、０．００１〜０．５％のＮｉＯ＋ＣｏＯ＋Ｃｒ２Ｏ３とからなり、Ｋ２Ｏ＋Ｎａ２Ｏが１０〜２０％であることを特徴とする請求項９記載の方法。
【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】  タンパク質アレルゲンを生成した死滅した大腸菌を含み、更に製薬上許容しうるキャリアーをも含む医薬組成物であって、該医薬組成物が、該タンパク質アレルゲンに対してアレルギーである患者におけるアレルギー性免疫応答を低減させ且つ該タンパク質アレルゲンが該微生物内にカプセル封入されている、当該医薬組成物。
【請求項２】  タンパク質アレルゲンが、アナフィラキシー性アレルゲンである、請求項１に記載の医薬組成物。
【請求項３】  上記の何れかの請求項に記載の医薬組成物であって、タンパク質アレルゲンが、食物、昆虫毒液又はゴム中に見出される、当該医薬組成物。
【請求項４】  上記の何れかの請求項に記載の医薬組成物であって、タンパク質アレルゲンが、南京豆、ミルク、卵、海産食物、堅果、酪農製品及び果物よりなる群から選択する食物中で見出される、当該医薬組成物。
【請求項５】  上記の何れかの請求項に記載の医薬組成物であって、タンパク質アレルゲンが、蜜蜂毒液中に見出される、当該医薬組成物。
【請求項６】  上記の何れかの請求項に記載の医薬組成物であって、タンパク質アレルゲンが、Ａｒａｈ１、Ａｒａｈ２又はＡｒａｈ３である。
【請求項７】  上記の何れかの請求項に記載の医薬組成物であって、タンパク質アレルゲンが、ＩｇＥ抗体に結合し又は架橋する減少した能力を有するように改変されている、当該医薬組成物。
【請求項８】  改変タンパク質アレルゲンが、未改変タンパク質アレルゲンと比較して、減少した数のＩｇＥ結合部位を有する、請求項７に記載の医薬組成物。
【請求項９】  改変タンパク質アレルゲンの配列が、野生型タンパク質アレルゲンの配列と、該野生型タンパク質アレルゲンのＩｇＥ結合部位内で、１つ以上のアミノ酸の欠失、置換又は付加によって異なる、請求項７に記載の医薬組成物。
【請求項１０】  タンパク質アレルゲンが、分泌されない、上記の何れかの請求項に記載の医薬組成物。
【請求項１１】  タンパク質アレルゲンが、ペリプラスム中に分泌される、上記の何れかの請求項に記載の医薬組成物。
【請求項１２】  タンパク質アレルゲンを生成した死滅した大腸菌微生物を含む組成物の、該タンパク質アレルゲンに感受性の患者におけるアレルギーを治療するための医薬の製造における利用であって、該タンパク質アレルゲンが、微生物内にカプセル封入されている、当該利用。
【請求項１３】  タンパク質アレルゲンを生成した死滅した大腸菌微生物を含み、更に製薬上許容しうるキャリアーをも含む医薬組成物であって、タンパク質アレルゲンが、ＩｇＥ抗体に結合し又は架橋する減少した能力を有するように改変されており且つ該タンパク質アレルゲンが、微生物内にカプセル封入されている、当該医薬組成物。
【請求項１４】  タンパク質アレルゲンが、アナフィラキシー性アレルゲンである、請求項１３に記載の医薬組成物。
【請求項１５】  タンパク質アレルゲンが、食物、昆虫毒液又はゴム中に見出される、請求項１３〜１４の何れか一つに記載の医薬組成物。
【請求項１６】  タンパク質アレルゲンが、南京豆、ミルク、卵、海産食物、堅果、酪農製品及び果物よりなる群から選択する食物中で見出される、請求項１３〜１５の何れか一つに記載の医薬組成物。
【請求項１７】  タンパク質アレルゲンが、蜜蜂毒液中に見出される、請求項１３〜１６の何れか一つに記載の医薬組成物。
【請求項１８】  タンパク質アレルゲンが、Ａｒａｈ１、Ａｒａｈ２又はＡｒａｈ３である、請求項１３〜１６の何れか一つに記載の医薬組成物。
【請求項１９】  改変タンパク質アレルゲンが、未改変タンパク質アレルゲンと比較して、減少した数のＩｇＥ結合部位を有する、請求項１３〜１８の何れか一つに記載の医薬組成物。
【請求項２０】  改変タンパク質アレルゲンの配列が、野生型タンパク質アレルゲンの配列と、該野生型タンパク質アレルゲンのＩｇＥ結合部位内で、１つ以上のアミノ酸の欠失、置換又は付加によって異なる、請求項１３〜１９の何れか一つに記載の医薬組成物。
【請求項２１】  タンパク質アレルゲンが、分泌されない、請求項１３〜２０の何れか一つに記載の医薬組成物。
【請求項２２】  タンパク質アレルゲンが、ペリプラスム中に分泌される、請求項１３〜２０の何れか一つに記載の医薬組成物。
【請求項２３】  タンパク質アレルゲンを生成し又は生成した死滅した大腸菌微生物を含む組成物の、該タンパク質アレルゲンに感受性の患者におけるアレルギーを治療するための医薬の製造における利用であって、該タンパク質アレルゲンが、ＩｇＥ抗体に結合し又は架橋する減少した能力を有するように改変されており且つ該タンパク質アレルゲンが、微生物内にカプセル封入されている、当該利用。
【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
射出装置（１）及び注型用金型を有する射出成形装置であって、射出装置（１）はガイド手段によってチューブ状シリンダ（５）内で動き得るスクリュー（４）を有しており、前記スクリュー（４）はチューブ状シリンダ（５）内で始動及び終了／停止位置について制御することができ、終了／停止位置では、チューブ状シリンダ（５）内において、
【数１】
2004527406.tif 000001
［式中、Ｄは１つのスクリューストロークの寸法である。］
以上で、多くともショット体積に匹敵し得る溶融物体積までの、溶融物に満たされた残存体積が残されることを特徴とする射出成形装置。
【請求項２】
シリンダヘッドに溶融物前方の拡大した空間を設けることによって残存体積が形成されることを特徴とする請求項１記載の射出成形装置。
【請求項３】
ノズルとシリンダヘッドとの間にアダプタ要素を取り付けて、溶融物前方の拡大した空間を形成することを特徴とする請求項１記載の射出成形装置。
【請求項４】
装置ノズル及び／又はホットランナの拡大した体積によって、残存体積が更に形成されることを特徴とする請求項１〜３のいずれかに記載の射出成形装置。
【請求項５】
射出装置及び注型用金型を有しており、熱可塑性プラスチック溶融物を処理するための射出成形装置を操作する方法であって、射出成形装置はガイド手段によってチューブ状シリンダ内で動き得るスクリューを有しており、前記スクリューはチューブ状シリンダ内で始動及び終了／停止位置について制御することができ、熱可塑性プラスチック溶融物を排出する終了／停止位置でスクリューを停止させ、チューブ状シリンダ内に、
【数２】
2004527406.tif 000002
［式中、Ｄは１つのスクリューストロークの寸法である。］
以上で、多くともショット体積に匹敵し得る溶融物体積までの、溶融物に満たされた残存体積を残すことを特徴とする方法。
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
哺乳類患者の神経組織損傷の治療用医薬組成物であって、上記患者の血管系を介しての上記損傷神経組織部位へのデリバリーのために配合された生体膜融着剤の有効量、及び場合により医薬担体を含む、前記組成物。
【請求項２】
前記生体膜融着剤が少なくとも１の親水性ポリマーを含む、請求項１に記載の組成物。
【請求項３】
前記親水性ポリマーが少なくとも１のポリアルキレン・グリコールを含む、請求項２に記載の組成物。
【請求項４】
前記ポリアルキレン・グリコールが、ポリメチレン・グリコール、ポリエチレン・グリコール、ポリプロピレン・グリコール、ポリブチレン・グリコール、ポリペンチレン・グリコール、ポリヘキシレン・グリコール、ポリヘプチレン・グリコール、ポリオクチレン・グリコール、ポリノニレン・グリコール、及びポリデシレン・グリコール、並びにその分枝型及び構造異性体から成る群から選ばれる、請求項３に記載の組成物。
【請求項５】
前記ポリアルキレン・グリコールがポリエチレン・グリコールを含む、請求項３に記載の組成物。
【請求項６】
前記親水性ポリマーがデキストランを含む、請求項２に記載の組成物。
【請求項７】
前記親水性ポリマーが、分子量約４００ダルトン〜約３５００ダルトンを有する、請求項２〜６のいずれか１項に記載の組成物。
【請求項８】
前記生体膜融着剤が両親媒性ポリマーを含む、請求項１に記載の組成物。
【請求項９】
前記両親媒性ポリマーがブロック・コポリマーである、請求項８に記載の組成物。
【請求項１０】
前記ブロック・コポリマーが、ポリアルキレン・グリコール・ブロック・コポリマー、ポリアルキレン・グリコール・ブロック・コポリマー混合物、並びにポリアルキレン・グリコールとポリアルキレン・グリコール・ブロック・コポリマーとの混合物から成る群から選ばれる、請求項９に記載の組成物。
【請求項１１】
前記ブロック・コポリマーが、ポリメチレン・グリコール、ポリエチレン・グリコール、ポリプロピレン・グリコール、ポリブチレン・グリコール、ポリペンチレン・グリコール、ポリヘキシレン・グリコール、ポリヘプチレン・グリコール、ポリオクチレン・グリコール、ポリノニレン・グリコール、及びポリデシレン・グリコール、並びにそれらの分枝型及び構造異性体から成る群から選ばれる少なくとも１の化合物を含む、請求項９に記載の組成物。
【請求項１２】
前記両親媒性ポリマーが、ポリエチレン・グリコール／ポリプロピレン・グリコール・ブロック・コポリマー、並びにポリエチレン・グリコールと、ポリプロピレン・グリコールと、ポリエチレン・グリコール／ポリプロピレン・グリコール・ブロック・コポリマーとの混合物から成る群から選ばれる、請求項８〜１１のいずれか１項に記載の組成物。
【請求項１３】
前記両親媒性ポリマーが、ポロキサマー及びポロキサミンから成る群から選ばれる、請求項８〜１２のいずれか１項に記載の組成物。
【請求項１４】
前記損傷した神経組織が脊髄組織である、請求項１〜１３のいずれか１項に記載の組成物。
【請求項１５】
前記損傷した神経組織が、末梢神経組織である、請求項１〜１３のいずれか１項に記載の組成物。
【請求項１６】
前記損傷が、機械的損傷、生化学的損傷、及び／又は虚血性損傷である、請求項１〜１５のいずれか１項に記載の組成物。
【請求項１７】
前記虚血性損傷が、脳卒中及び／又は頭部損傷である、請求項１６に記載の組成物。
【請求項１８】
前記生体膜融着剤の有効量が、上記生体膜融着剤を、静脈内、筋中、皮下、又は腹膜内で、前記患者に、あるいは前記損傷部位の神経鞘内又は付近に、注射するために有効なものである、請求項１〜１７のいずれか１項に記載の組成物。
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2004527576.tif 000001
［式中、
Ｒ１は場合により置換されたアルキル、アルケニル、アルキニルまたはシクロアルキルを表し、
Ｒ２は水素またはアルキルを表すか、
あるいは
Ｒ１およびＲ２はこれらが結合している窒素原子と一緒になって置換されていてもよい複素環を表し、
Ｒ３は置換されていてもよいアリールを表し、かつ
Ｒ４は水素またはハロゲンを表す］の化合物、その金属塩、酸付加化合物、Ｎ−酸化物、キラル中心が式（Ｉ）の化合物中に存在する場合には（Ｒ）−および（Ｓ）−異性体ならびにこれらのラセミ体の、工業用材料を保護するための殺菌剤としての使用。
【請求項２】
微生物による被害および／または破壊から工業用材料を保護するための方法において、請求項１記載の式（Ｉ）の化合物少なくとも１種を微生物またはその生息空間に作用させることを特徴とする、微生物による被害および／または破壊から工業用材料を保護するための方法。
【請求項３】
請求項１記載の式（Ｉ）の化合物少なくとも１種および溶剤または希釈剤を少なくとも１種ならびに場合により加工助剤および場合によりその他の抗菌作用のある物質を含有する工業用材料の保護のための殺菌剤。
【請求項４】
請求項１記載の化合物（Ｉ）を少なくとも１種含有している工業用材料。
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
ドライアイおよび眼の湿潤を必要とする他の障害の処置のための組成物であって、薬学的受容可能なキャリアおよび薬学的有効量の１種以上のＮＦ−κＢインヒビターを含む、組成物。
【請求項２】
請求項１に記載の組成物であって、前記１種以上のＮＦ−κＢインヒビターの薬学的有効量が、０．００１〜１．０％（ｗ／ｖ）である、組成物。
【請求項３】
請求項１に記載の組成物であって、前記ＮＦ−κＢインヒビターが、２−クロロ−Ｎ−［３，５−ジ（トリフルオロメチル）フェニル］−４−（トリフルオロメチル）ピリミジン−５−カルボキサミド；３，４−ジヒドロ−４，４−ジメチル−２Ｈ−１，２−ベンゾセレナジン；デクロプラミド；およびデキシリポタムからなる群より選択される、組成物。
【請求項４】
請求項１に記載の組成物であって、前記組成物が、前記眼への局所的投与のために処方されている、組成物。
【請求項５】
請求項１に記載の組成物であって、前記ドライアイおよび眼の湿潤を必要とする他の障害が、屈折手術に関連するドライアイの症状である、組成物。
【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
クミルフェノールの製造方法であって、
フェノールとα−メチルスチレンを、酸触媒及びフェノールとα−メチルスチレンと酸触媒とアルキルベンゼンの合計重量を基準にして約１〜９０重量％のアルキルベンゼンの存在下で反応させてクミルフェノール含有生成物混合物を形成する工程を含んでなる方法。
【請求項２】
前記アルキルベンゼンがクメンである、請求項１記載の方法。
【請求項３】
前記クメンが、フェノールとα−メチルスチレンと酸触媒とアルキルベンゼンの合計重量を基準にして約２０〜６５重量％の量で存在する、請求項２記載の方法。
【請求項４】
さらに、生成物混合物からクミルフェノールを単離する工程を含む、請求項２記載の方法。
【請求項５】
前記α−メチルスチレンがフェノール合成プロセスの副生物流として得られる、請求項１記載の方法。
【請求項６】
前記副生物流がクメンを含有する、請求項５記載の方法。
【請求項７】
当該方法が約４０〜１００℃の入口温度で実施される、請求項２記載の方法。
【請求項８】
前記触媒が酸性イオン交換樹脂である、請求項１記載の方法。
【請求項９】
当該方法が連続的又はバッチ式に実施される、請求項１記載の方法。
【請求項１０】
過剰量のフェノールとα−メチルスチレンを、固体酸性触媒及びフェノールとα−メチルスチレンと酸性触媒とアルキルベンゼンの合計重量を基準にして約１〜９０重量％のアルキルベンゼンの存在下で反応させてｐ−クミルフェノール含有生成物混合物を形成する工程を含む、ｐ−クミルフェノールの製造方法。
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
式Ｉ：
【化１】
2004527577.tif 000001
（式中、Ｒは独立して、水素、ハロ、Ｃ１−Ｃ４アルキル、アルケニル、アルキニル、Ｃ３−Ｃ６シクロアルキル、Ｃ１−Ｃ４アルコキシ、アルケンオキシ、アルキンオキシから選ばれ；及び、
Ｘは水素、アルカリ金属カチオン、アンモニウム、又は置換アンモニウムである。）の化合物を調製するための方法であって、下記；
ａ）式ＩＩ；
【化２】
2004527577.tif 000002
（式中、Ｒは前に定義される通りである。）の化合物と、式ＩＩＩ；
【化３】
2004527577.tif 000003
の化合物を反応させること、及び、
ｂ）結果として得られる化合物と塩基の水溶液を反応させることを含む方法。
【請求項２】
式ＩＶの化合物が水酸化ナトリウムである、請求項１に記載の方法。
【請求項３】
Ｒが水素である、請求項１に記載の方法。
【請求項４】
式Ｉの化合物と式ＩＩの化合物の反応が触媒の存在下で行われる、請求項１に記載の方法。
【請求項５】
触媒がルイス酸である、請求項４に記載の方法。
【請求項６】
触媒が塩化アルミニウム、塩化亜鉛、塩化鉄、塩化スズ、三臭化ホウ素、三フッ化ホウ素、又は硫酸である、請求項５に記載の方法。
【請求項７】
触媒が塩化アルミニウムである、請求項６に記載の方法。
【請求項８】
式ＩＩの化合物と塩化アルミニウムを含む混合物を共に、約４０℃から約６０℃の間の温度で約１０分間攪拌して、その後、式ＩＩＩの化合物を添加する、請求項７に記載の方法。
【請求項９】
式ＩＩＩの化合物を、式ＩＩの化合物と塩化アルミニウムを含む混合物と共に、約５０℃から約６０℃の間の温度で約９０分間攪拌して、その後、水酸化ナトリウムを添加する、請求項８に記載の方法。
【請求項１０】
ａ）ベンゼンとブチロラクトンを反応させること；及び
ｂ）結果として得られる混合物と塩基の水溶液を反応させることを含む、４−フェニル酪酸を調製するための方法。
【請求項１１】
ベンゼンとブチロラクトンの反応が触媒の存在下で行われる、請求項１０に記載の方法。
【請求項１２】
触媒がルイス酸である、請求項１１に記載の方法。
【請求項１３】
触媒が塩化アルミニウム、塩化亜鉛、塩化鉄、塩化スズ、三臭化ホウ素、三フッ化ホウ素、又は硫酸である、請求項１２に記載の方法。
【請求項１４】
ブチロラクトンとの反応の前に、触媒をベンゼンに添加して、ベンゼンと触媒の混合物を得る、請求項１３に記載の方法。
【請求項１５】
ブチロラクトンとの反応の前に、ベンゼンと触媒の混合物を共に、１分間から約１５分間攪拌する、請求項１４に記載の方法。
【請求項１６】
ブチロラクトンを添加する前に、ベンゼンと触媒の混合物を約５０℃から約６０℃の間の温度で攪拌する、請求項１５に記載の方法。
【請求項１７】
ブチロラクトンをベンゼンと触媒の混合物に添加して、ベンゼン、触媒、及びブチロラクトンの反応混合物を得る、請求項１４に記載の方法。
【請求項１８】
ベンゼン、触媒、及びブチロラクトンの反応混合物を、３０分間から約１２０分間攪拌する、請求項１７に記載の方法。
【請求項１９】
ベンゼン、触媒、及びブチロラクトンの反応混合物が５０℃から約６０℃の間に維持される、請求項１８に記載の方法。
【請求項２０】
ｃ）ステップｂ）の溶液を濾過して水溶液から固体を除去するステップ、
ｄ）ステップｃ）の溶液を有機溶媒を接触させて、有機相及び水相を得るステップ、
ｅ）有機相から水相を分離するステップ、
ｆ）水相から生成物を沈殿させるのに十分な量の酸を加え水相のｐＨを低下させるステップ、および
ｇ）水相から生成物を分離するステップをさらに含む、請求項１９に記載の方法。
【手続補正書】
【提出日】平成16年8月2日(2004.8.2)
【手続補正１】
【補正対象書類名】特許請求の範囲
【補正対象項目名】全文
【補正方法】変更
【補正の内容】
【特許請求の範囲】
【請求項１】
フェノール含有有機流からフェノールを抽出するプロセスにおける水性流処理の最適化方法であって、ここで、
本プロセスに供給される前記水性流はアルカリ金属の水酸化物を含み、
前記水性流が、３つのタンクを有する多段階スクラバー装置を含むフェノール回収システムに供給され、前記方法は、
前記水性流の許容ｐＨ範囲を確立する工程と、
前記３つのタンクのうち、２番目のタンクに存在する前記水性流のｐＨを測定する工程と、
前記水性流のｐＨに基づいて、前記プロセスへの前記水性流の供給率を調節する工程からなることを特徴とする方法。
【請求項２】
フェノール含有有機流からフェノールを抽出するプロセスにおける水性流処理の最適化方法であって、ここで、
本プロセスに供給される前記水性流はアルカリ金属の水酸化物を含み、前記水性流がフェノール回収システムに供給され、前記方法は、
前記水性流の許容ｐＨ範囲を確立する工程と、
前記プロセスにおける第１点と第２点で、前記水性流のｐＨを測定する工程と、
前記プロセスへの前記水性流の供給率を、前記第１点と第２点でのｐＨに基づいて調節する工程からなることを特徴とする方法。
【請求項３】
請求項２記載の方法であって、前記第１点での第１許容ｐＨ範囲を確立し、また前記第２点での第２許容ｐＨ範囲を確立する工程をさらに有する前記方法。
【請求項４】
請求項３記載の方法であって、前記第１許容ｐＨ範囲と前記第２許容ｐＨ範囲が同一ではない前記方法。
【請求項５】
請求項４記載の方法であって、前記第１許容ｐＨ範囲は、前記プロセスに供給される前記水性流中のアルカリ金属の水酸化物に比例して、前記水性流中に抽出されたフェノールの約１等量に相当し、
前記第２許容ｐＨ範囲は、前記プロセスに供給される前記水性流中のアルカリ金属の水酸化物に比例して、前記水性流中に抽出されたフェノールの１等量より大きい等量に相当
することを特徴とする前記方法。
【請求項６】
請求項５記載の方法であって、前記プロセスに供給される前記水性流が水酸化ナトリウムからなる前記方法。
【請求項７】
請求項６記載の方法であって、前記水性流中の水酸化ナトリウムの濃度が約１０％から約３０％である前記方法。
【請求項８】
請求項７記載の方法であって、前記水性流中の水酸化ナトリウムの濃度が約２０％である前記方法。
【請求項９】
請求項８記載の方法であって、前記第１許容ｐＨ範囲が約１１から約１２であり、前記第２許容ｐＨ範囲が約９．７から約１０．７である前記方法。
【請求項１０】
請求項９記載の方法であって、ここで、前記フェノール回収システムは、複数のタンクからなる多段階スクラバー装置であり、前記水性流とフェノール含有有機流が逆流で接触されることを特徴とする前記方法。
【請求項１１】
請求項１０記載の方法であって、前記多段階スクラバー装置が３つのタンクを有し、前記２番目のタンクに存在する前記水性流のｐＨが第１点として測定され、前記３番目のタンクに存在する前記ｐＨが第２点として測定される前記方法。
【請求項１２】
請求項１１記載の方法であって、前記フェノール含有有機流中のフェノール含有量が、１００ｐｐｍ未満に減少される前記方法。
【請求項１３】
請求項１２記載の方法であって、前記フェノール含有有機流中のフェノール含有量が、２５ｐｐｍ未満に減少される前記方法。
【請求項１４】
アルカリ金属の水酸化物を含有する水性流中に抽出されるフェノール量を測定する方法であって、本方法は、
アルカリ金属の水酸化物を含有する水溶液のｐＨの、前記溶液中に抽出されるフェノール等量に対する、相関曲線を作成する工程と、
水性流中のアルカリ金属の水酸化物の初期濃度を測定する工程と、
フェノールが前記水性流中に抽出されるように、前記水性流をフェノール含有有機流に晒す工程と、
前記フェノール含有有機流から抽出されたフェノールを有する前記水性流のｐＨを測定する工程と、
前記水性流中に抽出されるフェノールの等量数に相当する、前記水性流のｐＨを前記曲線の一点に対して関係付ける工程と、
前記フェノールの等量数とアルカリ金属の水酸化物の前記初期濃度から、前記水性流におけるフェノール濃度を算出する工程
とからなる方法。
【請求項１５】
請求項１４記載の方法であって、前記アルカリ金属の水酸化物が水酸化ナトリウムである前記方法。
【手続補正書】
【提出日】平成16年4月1日(2004.4.1)
【手続補正１】
【補正対象書類名】特許請求の範囲
【補正対象項目名】全文
【補正方法】変更
【補正の内容】
【特許請求の範囲】
【請求項１】
１５−ケト−プロスタグランジン化合物を有効成分として含む薬物誘発性便秘処置用組成物。
【請求項２】
１５−ケト−プロスタグランジン化合物が、一般式（I)によって表されるものである、請求項１記載の組成物
【化１】
2004527567.tif 000001
［式中、Ｌ、ＭおよびＮは、水素、ヒドロキシ、ハロゲン、低級アルキル、ヒドロキシ（低級）アルキルまたはオキソ（ただし、ＬおよびＭの基のうちの少なくとも１つは、水素以外の基であり、５員環は少なくとも１つの二重結合を有していてもよい）；
Ａは、−ＣＨ２ＯＨ、−ＣＯＣＨ２ＯＨ、−ＣＯＯＨまたはそれらの官能性誘導体；
Ｂは、−ＣＨ２−ＣＨ２−、−ＣＨ＝ＣＨ−または−Ｃ≡Ｃ−；
Ｒ１は、非置換またはハロゲン、アルキル、ヒドロキシ、オキソ、アリールまたは複素環で置換された、二価の飽和または不飽和の低〜中級の脂肪族炭化水素残基であり、脂肪族炭化水素における少なくとも１個の炭素原子は酸素、窒素または硫黄によって置換されていてもよい；そして、
Ｒａは、非置換またはハロゲン、オキソ、ヒドロキシ、低級アルコキシ、低級アルカノイルオキシ、シクロ（低級）アルキル、シクロ（低級）アルキルオキシ、アリール、アリールオキシ、複素環または複素環オキシで置換された、飽和または不飽和の低〜中級脂肪族炭化水素残基；シクロ（低級）アルキル基；シクロ（低級）アルキルオキシ基；アリール基；アリールオキシ基；複素環基；複素環オキシ基］。
【請求項３】
１５−ケト−プロスタグランジン化合物が１３，１４−ジヒドロ−１５−ケト−プロスタグランジン化合物である、請求項１記載の組成物。
【請求項４】
１５−ケト−プロスタグランジン化合物が１５−ケト−１６−モノ−またはジ−ハロゲン−プロスタグランジン化合物である、請求項１記載の組成物。
【請求項５】
１５−ケト−プロスタグランジン化合物が１３，１４−ジヒドロ−１５−ケト−１６−モノ−またはジ−ハロゲン−プロスタグランジン化合物である、請求項１記載の組成物。
【請求項６】
１５−ケト−プロスタグランジン化合物が１５−ケト−１６−モノ−またはジ−フルオロ−プロスタグランジン化合物である、請求項１記載の組成物。
【請求項７】
１５−ケト−プロスタグランジン化合物が１３，１４−ジヒドロ−１５−ケト−１６−モノ−またはジ−フルオロ−プロスタグランジン化合物である、請求項１記載の組成物。
【請求項８】
１５−ケト−プロスタグランジン化合物が１５−ケト−プロスタグランジンＥ化合物である、請求項１記載の組成物。
【請求項９】
１５−ケト−プロスタグランジン化合物が１３，１４−ジヒドロ−１５−ケト−１６，１６−ジフルオロ−プロスタグランジンＥ１である請求項１記載の組成物。
【請求項１０】
便秘を誘発する薬物がオピオイド化合物である請求項１〜９のいずれかに記載の組成物。
【請求項１１】
オピオイド化合物がモルヒネ化合物あるいはコデイン化合物である請求項１０記載の組成物。
【請求項１２】
便秘を誘発する薬物が抗コリン作用薬である、請求項１〜９のいずれかに記載の組成物。
【請求項１３】
抗コリン作用薬が三環系抗うつ剤である請求項１２記載の組成物。
【手続補正書】
【提出日】平成15年12月12日(2003.12.12)
【手続補正１】
【補正対象書類名】特許請求の範囲
【補正対象項目名】全文
【補正方法】変更
【補正の内容】
【特許請求の範囲】
【請求項１】
非晶質メシル酸ネルフィナビル、およびエチレンオキシドとプロピレンオキシドとの薬学的に許容され得る水溶性非イオン性合成ブロック共重合体を含む、非晶質メシル酸ネルフィナビルの固形単位経口製薬剤形であって、該共重合体が少なくとも４０℃の融点を有する剤形。
【請求項２】
前記共重合体が、メシル酸ネルフィナビルの４０重量％〜６５重量％存在する、請求項１記載の剤形。
【請求項３】
前記共重合体が、４０〜６０℃の融点を有する、請求項１または２記載の剤形。
【請求項４】
前記共重合体が、少なくとも１４の２５℃でのＨＬＢ値を有する、請求項１〜３のいずれか一項記載の剤形。
【請求項５】
前記共重合体が、１４〜２９の２５℃でのＨＬＢ値を有する、請求項４記載の剤形。
【請求項６】
前記共重合体が、少なくとも７０重量％のエチレンオキシド含量を有する、請求項１〜５のいずれか一項記載の剤形。
【請求項７】
ネルフィナビル塩基として計算すると４００mg〜７００mgのメシル酸ネルフィナビル含量を有する、請求項１〜６のいずれか一項記載の剤形。
【請求項８】
安定剤、湿潤剤、結合剤、崩壊剤、希釈剤、可溶化剤および滑沢剤からなる群より選択される薬学的に許容され得る添加剤を更に含む、請求項１〜７のいずれか一項記載の剤形。
【請求項９】
錠剤、カプセル剤またはカプレット剤である、請求項１〜８のいずれか一項記載の剤形。
【請求項１０】
請求項１〜９のいずれか一項記載の固形単位経口製薬剤形を製造する方法であって、
（ａ）非晶質メシル酸ネルフィナビル、およびエチレンオキシドとプロピレンオキシドとの薬学的に許容され得る水溶性非イオン性合成ブロック共重合体を含むブレンドであって、該共重合体が少なくとも４０℃の融点を有するブレンドを、その共重合体の融点温度からメシル酸ネルフィナビルの分解温度未満までの温度で加熱する工程、
（ｂ）そのブレンドを混合して溶融顆粒を形成させる工程、および
（ｃ）その溶融顆粒を非晶質メシル酸ネルフィナビルの前記剤形に加工する工程
を含む方法。
【請求項１１】
治療に使用される、請求項１〜９のいずれか一項記載の固形単位経口製薬剤形。
【請求項１２】
ＨＩＶ介在疾患の処置に使用される、請求項１１記載の固形単位経口製薬剤形。
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
ａ）複合コアセルベーションによってマイクロカプセルを形成できる第１のポリマーと、フェロモンと、第１のポリマーを含む組成物と共に複合コアセルベーションによってマイクロカプセルを形成できる第２のポリマーとを含む溶液を提供するステップと、
ｂ）コアセルベーションシェルを有するマイクロカプセルを、前記コアセルベーションシェルの化学架橋なしに形成するステップと、
ｃ）ヒドロゲルマイクロビーズを形成するのに適する第３のポリマーをマイクロカプセル含有組成物を形成するのに効果的な量で添加するステップと、
ｄ）マイクロカプセル含有組成物を配位溶液中にスプレーすることにより、化学架橋なしにコアセルベーションシェルを有するマイクロカプセルを含む安定性ヒドロゲルマイクロビーズを提供するステップと
を含む、フェロモンを封入する方法。
【請求項２】
請求項１に記載の方法によって製造される、ヒドロゲルマイクロビーズ。
【請求項３】
フェロモン含有ヒドロゲルマイクロビーズであって、マイクロカプセルを含み、前記マイクロカプセルがアルデヒド、ケトン、または酸で架橋されていないコアセルベートシェル内に封入されたフェロモンをさらに含み、前記マイクロカプセルがヒドロゲル複合体内に取り込まれた、ヒドロゲルマイクロビーズ。
【請求項４】
ａ）複合コアセルベーションによってマイクロカプセルを形成できる第１のポリマーと、フェロモンと、第１のポリマーを含む組成物と共に複合コアセルベーションによってマイクロカプセルを形成できる第２のポリマーとを含む溶液を提供するステップと、
ｂ）コアセルベーションシェルを有するマイクロカプセルを、前記コアセルベーションシェルの化学架橋なしに形成するステップと、
ｃ）ヒドロゲルマイクロビーズを形成するのに適する第３のポリマーをマイクロカプセル含有組成物を形成するのに効果的な量で添加するステップと、
ｄ）マイクロカプセル含有組成物を配位溶液中にスプレーすることにより、化学架橋なしにコアセルベーションシェルを有するマイクロカプセルを含む安定性ヒドロゲルマイクロビーズを提供するステップと、
ｅ）前記ヒドロゲルマイクロビーズを意図される環境内で基材上にデリバリするステップと
を含む、フェロモンを保持してデリバリする方法。
【手続補正書】
【提出日】平成16年1月23日(2004.1.23)
【手続補正１】
【補正対象書類名】特許請求の範囲
【補正対象項目名】全文
【補正方法】変更
【補正の内容】
【特許請求の範囲】
【請求項１】
（ａ）グリホサート酸またはその農業的に許容できる塩もしくは誘導体、及び
（ｂ）式
【化１】
2004527565.tif 000001
の界面活性成分又はその第四級化形体
【化２】
2004527565.tif 000002
又はそのアミンオキシド誘導体
【化３】
2004527565.tif 000003
からなる除草剤組成物［上記式中、Ｒ及びＲ′は水素又は１〜３個の炭素原子を有するアルキルを表し、Ｒ1及びＲ2はそれぞれ独立して４〜２４個の炭素原子を有する直鎖又は分岐鎖のアルキル又はアルケニル基を表し、各々の(Ｒ3−Ｏ)−基中のＲ3は同じか又は異なりそして２〜４個の炭素原子を有するアルキレンを表し、Ａ-は農業的に許容できるア
ニオンであり、そしてｘ及びｙはｘ＋ｙが２〜１６０の範囲内にある平均数である］。
【請求項２】
Ｒ1及びＲ2は８〜１８個の炭素原子を有する直鎖又は分岐鎖のアルキル又はアルケニル基を表す請求項１に記載の組成物。
【請求項３】
界面活性剤は式（Ｉ）の界面活性剤である請求項１または２に記載の組成物。
【請求項４】
界面活性剤の式においてＲ1及びＲ2はそれぞれ独立して１２〜１８個の炭素原子を有する直鎖又は分岐鎖のアルキル又はアルケニル基を表す請求項３に記載の組成物。
【請求項５】
界面活性剤の式においてｘ＋ｙは４〜１００、好ましくは６〜５０の範囲である請求項１〜４のいずれかに記載の組成物。
【請求項６】
グリホサート（グリホサート酸当量として表される）の全界面活性成分に対する重量比が１：５〜２０：１の範囲である請求項１〜５のいずれかに記載の組成物。
【請求項７】
グリホサート（グリホサート酸当量として表される）の全界面活性成分に対する重量比が１：１より高く、好ましくは２：１より高く、より特定すると５：１より高い請求項６に記載の組成物。
【請求項８】
グリホサート酸当量／界面活性剤比が１５：１のように高い請求項７に記載の組成物。
【請求項９】
グリホサート（グリホサート酸当量として表される）の全界面活性成分に対する重量比が約８：１、１０：１又は１２：１である請求項６〜８のいずれかに記載の組成物。
【請求項１０】
水又は低級アルコール、例えばイソプロパノール又はグリコールのような溶媒又は希釈剤、無機アンモニウム塩、色素、増粘剤、安定剤及び／又は他の界面活性剤のような他の補助剤が一緒にされ得る請求項１〜５のいずれかに記載の界面活性剤を含む補助剤組成物。
【請求項１１】
好ましくない植生を防除又は枯殺するための請求項１〜９のいずれかに記載の組成物の使用。
【請求項１２】
請求項１〜９のいずれかに記載の除草組成物の製造のための請求項１０に記載の補助剤組成物の使用。
【手続補正書】
【提出日】平成17年2月25日(2005.2.25)
【手続補正１】
【補正対象書類名】明細書
【補正対象項目名】請求項４
【補正方法】変更
【補正の内容】
【請求項４】
Ｒ１が、Ｈｅｔ、３〜７個の炭素原子を有する非置換もしくはＡ置換シクロアルキルまたは１〜６個の炭素原子を有する非分枝状アルキルであり、ただし、アルキル基中の少なくとも１個のＣＨ２基は、Ｏ原子により、ＣＨ＝ＣＨ基により、またはＣ≡Ｃ基により置換されており、あるいは、アルキル基中の少なくとも１個の水素原子は、Ｈａｌ、ＯＨ、Ａｒ、Ｈｅｔ、３〜１０個の炭素原子を有するシクロアルキル、Ｎ（Ｒ４）２、ＮＲ４ＣＯＯＲ４、ＣＮもしくはＣＯＮ（Ｒ４）２により置換されている、請求項１〜３のいずれかに記載の式Ｉで表される化合物。
【手続補正２】
【補正対象書類名】明細書
【補正対象項目名】請求項１０
【補正方法】変更
【補正の内容】
【請求項１０】
抑うつ症、不安状態、パニック発作、強迫性障害、精神医学的疾患、脳梗塞、脳虚血、緊張状態、高血圧の処置における副作用の処置のため、脳疾患、先端巨大症、性機能低下、続発性無月経、月経前症候群、不所望な産褥乳汁分泌、疼痛、睡眠障害、ナルコレプシー、双極性疾患、躁病、痴呆、耽溺疾患、性的機能不全、摂食障害、肥満または線維筋痛の予防および治療のための医薬活性成分としての、請求項８に記載の式Ｉで表される化合物およびこれらの生理学的に許容し得る塩または溶媒和化合物。